(57)【要約】【課題】ユーザの操作感覚にあった操作性の高いユーザインタフェースを有する情報処理装置、表示制御方法、および表示制御プログラムを提供する。【解決手段】複数のアプリケーション機能を備える情報処理装置において、表示制御手段は、複数のアプリケーション機能および複数のアプリケーション機能に共通する機能の操作指示部が表示され、操作指示部からユーザによる指示を入力可能とするシステム共通領域と、システム共通領域に表示された複数のアプリケーション機能に対応する操作指示部が表示され、操作指示部からユーザによる指示を入力可能とするアプリケーション領域と、を含む表示操作画面を操作パネルに表示する。【選択図】        図３
2006042393.tif 000002
【特許請求の範囲】
【請求項１】
複数のアプリケーション機能を備える情報処理装置において、
前記複数のアプリケーション機能および前記複数のアプリケーション機能に共通する機能の操作指示部が表示され、前記操作指示部からユーザによる指示を入力可能とするシステム共通領域と、前記システム共通領域に表示された前記複数のアプリケーション機能に対応する操作指示部が表示され、前記操作指示部からユーザによる指示を入力可能とするアプリケーション領域と、を含む表示操作画面を操作パネルに表示する表示制御手段、
を備えることを特徴とする情報処理装置。
【請求項２】
前記システム共通領域は、さらに前記複数のアプリケーション機能の中の、１つのアプリケーション機能の操作指示部からユーザによる指示を入力可能とし、
前記アプリケーション領域は、さらに前記システム共通領域において選択された当該アプリケーション機能に対応した操作指示部が表示されること、を特徴とする請求項１に記載の情報処理装置。
【請求項３】
前記システム共通領域は、さらに前記複数のアプリケーション機能の中の、１つのアプリケーション機能の操作指示部からユーザによる指示を入力可能とし、
前記アプリケーション領域は、さらに前記システム共通領域において選択された当該アプリケーション機能以外のアプリケーション機能に対応した操作指示部が表示されないこと、を特徴とする請求項１に記載の情報処理装置。
【請求項４】
前記システム共通領域は、さらに前記システム共通領域において選択されていないアプリケーション機能に関する動作状況情報を表示する領域を含むこと、を特徴とする請求項１〜３のいずれか一つに記載の情報処理装置。
【請求項５】
前記表示操作画面は、さらに前記システム共通領域において選択されたアプリケーション機能に対応するメッセージを表示する領域を含むこと、を特徴とする請求項１〜４のいずれか一つに記載の情報処理装置。
【請求項６】
前記表示制御手段は、さらに前記メッセージを表示する領域を、前記表示操作画面にオーバーラップさせて表示すること、を特徴とする請求項５に記載の情報処理装置。
【請求項７】
前記表示制御手段は、さらに前記メッセージを表示する領域を、前記アプリケーション領域にオーバーラップさせて表示すること、を特徴とする請求項６に記載の情報処理装置。
【請求項８】
前記表示制御手段は、さらに前記アプリケーション領域に前記メッセージを表示する領域が表示されている間は、前記アプリケーション領域に表示された操作指示部からユーザによる指示を入力不可とすること、を特徴とする請求項６または請求項７に記載の情報処理装置。
【請求項９】
前記システム共通領域は、さらに前記複数のアプリケーション機能の中から選択されたアプリケーション機能に依存せず予め定められた操作指示部のレイアウトに従って表示されること、を特徴とする請求項１〜８のいずれか一つに記載の情報処理装置。
【請求項１０】
前記アプリケーション領域は、さらに前記システム共通領域において選択されたアプリケーション機能に対応する操作指示部のレイアウトに従って表示されること、を特徴とする請求項１〜９のいずれか一つに記載の情報処理装置。
【請求項１１】
前記表示操作画面は、さらに前記システム共通領域に表示される前記複数のアプリケーション機能の一つとしてコピー機能を含み、当該コピー機能が選択された場合に、前記アプリケーション領域に前記コピー機能に対応する操作指示部が表示されること、を特徴とする請求項１〜１０のいずれか一つに記載の情報処理装置。
【請求項１２】
前記表示操作画面は、さらに前記システム共通領域に表示される前記複数のアプリケーション機能の一つとしてファクシミリ機能を含み、当該ファクシミリ機能が選択された場合に、前記アプリケーション領域に前記ファクシミリ機能に対応する操作指示部が表示されること、を特徴とする請求項１〜１１のいずれか一つに記載の情報処理装置。
【請求項１３】
前記表示操作画面は、さらに前記システム共通領域に表示される前記複数のアプリケーション機能の一つとしてプリント機能を含み、当該プリント機能が選択された場合に、前記アプリケーション領域に前記プリント機能に対応する操作指示部が表示されること、を特徴とする請求項１〜１２のいずれか一つに記載の情報処理装置。
【請求項１４】
前記表示操作画面は、さらに前記システム共通領域に表示される前記複数のアプリケーション機能の一つとしてスキャナ機能を含み、当該スキャナ機能が選択された場合に、前記アプリケーション領域に前記スキャナ機能に対応する操作指示部が表示されること、を特徴とする請求項１〜１３のいずれか一つに記載の情報処理装置。
【請求項１５】
複数のアプリケーション機能を備える情報処理装置における表示制御方法において、
前記複数のアプリケーション機能および前記複数のアプリケーション機能に共通する機能の操作指示部が表示され、前記操作指示部からユーザによる指示を入力可能とするシステム共通領域と、前記システム共通領域に表示された前記複数のアプリケーション機能に対応する操作指示部が表示され、前記操作指示部からユーザによる指示を入力可能とするアプリケーション領域と、を含む表示操作画面を操作パネルに表示する表示制御ステップ、
を有することを特徴とする表示制御方法。
【請求項１６】
請求項１５に記載された表示制御方法をコンピュータに実行させることを特徴とする表示制御プログラム。
【発明の詳細な説明】
【技術分野】
【０００１】
本発明は、表示操作画面を操作パネルに表示する情報処理装置、表示制御方法、および表示制御プログラムに関する。
【背景技術】
【０００２】
従来、例えば、デジタル複写機などの装置において、コピー機能、ファクシミリ機能、プリンタ機能などの、いわゆる、アプリケーション機能を表示・選択する等の操作を行うための操作表示装置として、ＬＣＤ（液晶）パネルを用いたものが多く採用されている。
【０００３】
このような操作表示装置は、例えば、４００×２５６ドットの比較的小さなサイズの表示画面と該表示画面上に配置されたタッチパネルとから成る操作パネルと、プッシュキーなどのメカニカルキーとを組み合わせて構成されており、操作パネルをアプリケーション機能用に使用し、メカニカルキーをシステム全体の共通部分として使用している。
【０００４】
ところが、最近では多機能化に対応させるために操作パネルのＬＣＤなどを大型化する傾向がある。具体的には、ＬＣＤ部分を６４０×４００ｄｏｔサイズにし、メカニカルキーで対応していたシステム共通部分もすべて、タッチパネルキー部に取り込んで、対応するようになってきている。
【０００５】
換言すれば、比較的小型の操作パネルを採用した操作表示装置では、操作パネルをアプリケーション機能用として対応してきたが、多機能化や操作性および操作・表示のシンプル化等の要求に伴って、表示画面（ＬＣＤ）およびタッチパネルの大型化が望まれ、さらに、大型ＬＣＤが製造上やコスト等の面で採用できるレベルとなってきたため、メカニカルキーで対応してきたシステム共通部分の操作キーも表示画面（ＬＣＤ）およびタッチパネルに置き換えて機能させるようになってきている。
【０００６】
また、上記表示画面（ＬＣＤ）およびタッチパネル等の操作パネルを有した操作表示装置の制御方法として、複数のアプリケーション機能で一つの操作パネルを共有して使用するために、複数のアプリケーション機能と操作パネルの間に表示画面全体を制御するウインドウ・制御サーバーを配置し、ウインドウ・制御サーバーを介して操作パネルを管理するサーバー・クライアント方式の制御方法が採用されている。
【発明の開示】
【発明が解決しようとする課題】
【０００７】
しかしながら、上記従来の技術によれば、アプリケーション機能で、操作パネルの表示画面全体を制御する構成であるため、以下のような問題点があった。すなわち、複数のアプリケーション機能が搭載されるシステムにおいては、各アプリケーション機能にシステム共通部分の機能を盛り込む必要があったり、アプリケーション機能の各プロセスに処理負担がかかることや、類似した機能をもつためにメモリの使用効率低下による無駄が発生するといった問題点があった。
【０００８】
本発明は、上記に鑑みてなされたものであって、アプリケーション機能の処理プログラムの煩雑化を回避して処理負担を低減させると共に、メモリ使用効率を向上させることを目的とする。
【課題を解決するための手段】
【０００９】
上述した課題を解決し、目的を達成するために、請求項１にかかる発明は、複数のアプリケーション機能を備える情報処理装置において、前記複数のアプリケーション機能および前記複数のアプリケーション機能に共通する機能の操作指示部が表示され、前記操作指示部からユーザによる指示を入力可能とするシステム共通領域と、前記システム共通領域に表示された前記複数のアプリケーション機能に対応する操作指示部が表示され、前記操作指示部からユーザによる指示を入力可能とするアプリケーション領域と、を含む表示操作画面を操作パネルに表示する表示制御手段、を備えることを特徴とする。
【００１０】
また、請求項２にかかる発明は、請求項１に記載の情報処理装置において、前記システム共通領域は、さらに前記複数のアプリケーション機能の中の、１つのアプリケーション機能の操作指示部からユーザによる指示を入力可能とし、前記アプリケーション領域は、さらに前記システム共通領域において選択された当該アプリケーション機能に対応した操作指示部が表示されること、を特徴とする。
【００１１】
また、請求項３にかかる発明は、請求項１に記載の情報処理装置において、前記システム共通領域は、さらに前記複数のアプリケーション機能の中の、１つのアプリケーション機能の操作指示部からユーザによる指示を入力可能とし、前記アプリケーション領域は、さらに前記システム共通領域において選択された当該アプリケーション機能以外のアプリケーション機能に対応した操作指示部が表示されないこと、を特徴とする。
【００１２】
また、請求項４にかかる発明は、請求項１〜３のいずれか一つに記載の情報処理装置において、前記システム共通領域は、さらに前記システム共通領域において選択されていないアプリケーション機能に関する動作状況情報を表示する領域を含むこと、を特徴とする。
【００１３】
また、請求項５にかかる発明は、請求項１〜４のいずれか一つに記載の情報処理装置において、前記表示操作画面は、さらに前記システム共通領域において選択されたアプリケーション機能に対応するメッセージを表示する領域を含むこと、を特徴とする。
【００１４】
また、請求項６にかかる発明は、請求項５に記載の情報処理装置において、前記表示制御手段は、さらに前記メッセージを表示する領域を、前記表示操作画面にオーバーラップさせて表示すること、を特徴とする。
【００１５】
また、請求項７にかかる発明は、請求項６に記載の情報処理装置において、前記表示制御手段は、さらに前記メッセージを表示する領域を、前記アプリケーション領域にオーバーラップさせて表示すること、を特徴とする。
【００１６】
また、請求項８にかかる発明は、請求項６または請求項７に記載の情報処理装置において、前記表示制御手段は、さらに前記アプリケーション領域に前記メッセージを表示する領域が表示されている間は、前記アプリケーション領域に表示された操作指示部からユーザによる指示を入力不可とすること、を特徴とする。
【００１７】
また、請求項９にかかる発明は、請求項１〜８のいずれか一つに記載の情報処理装置において、前記システム共通領域は、さらに前記複数のアプリケーション機能の中から選択されたアプリケーション機能に依存せず予め定められた操作指示部のレイアウトに従って表示されること、を特徴とする。
【００１８】
また、請求項１０にかかる発明は、請求項１〜９のいずれか一つに記載の情報処理装置において、前記アプリケーション領域は、さらに前記システム共通領域において選択されたアプリケーション機能に対応する操作指示部のレイアウトに従って表示されること、を特徴とする。
【００１９】
また、請求項１１にかかる発明は、請求項１〜１０のいずれか一つに記載の情報処理装置において、前記表示操作画面は、さらに前記システム共通領域に表示される前記複数のアプリケーション機能の一つとしてコピー機能を含み、当該コピー機能が選択された場合に、前記アプリケーション領域に前記コピー機能に対応する操作指示部が表示されること、を特徴とする。
【００２０】
また、請求項１２にかかる発明は、請求項１〜１１のいずれか一つに記載の情報処理装置において、前記表示操作画面は、さらに前記システム共通領域に表示される前記複数のアプリケーション機能の一つとしてファクシミリ機能を含み、当該ファクシミリ機能が選択された場合に、前記アプリケーション領域に前記ファクシミリ機能に対応する操作指示部が表示されること、を特徴とする。
【００２１】
また、請求項１３にかかる発明は、請求項１〜１２のいずれか一つに記載の情報処理装置において、前記表示操作画面は、さらに前記システム共通領域に表示される前記複数のアプリケーション機能の一つとしてプリント機能を含み、当該プリント機能が選択された場合に、前記アプリケーション領域に前記プリント機能に対応する操作指示部が表示されること、を特徴とする。
【００２２】
また、請求項１４にかかる発明は、請求項１〜１３のいずれか一つに記載の情報処理装置において、前記表示操作画面は、さらに前記システム共通領域に表示される前記複数のアプリケーション機能の一つとしてスキャナ機能を含み、当該スキャナ機能が選択された場合に、前記アプリケーション領域に前記スキャナ機能に対応する操作指示部が表示されること、を特徴とする。
【００２３】
また、請求項１５にかかる発明は、複数のアプリケーション機能を備える情報処理装置における表示制御方法において、前記複数のアプリケーション機能および前記複数のアプリケーション機能に共通する機能の操作指示部が表示され、前記操作指示部からユーザによる指示を入力可能とするシステム共通領域と、前記システム共通領域に表示された前記複数のアプリケーション機能に対応する操作指示部が表示され、前記操作指示部からユーザによる指示を入力可能とするアプリケーション領域と、を含む表示操作画面を操作パネルに表示する表示制御ステップ、を有することを特徴とする。
【００２４】
また、請求項１６にかかる発明は、請求項１５に記載された表示制御方法をコンピュータに実行させることを特徴とする。
【発明の効果】
【００２５】
請求項１にかかる発明によれば、表示制御手段によって、複数のアプリケーション機能および複数のアプリケーション機能に共通する機能の操作指示部が表示され、操作指示部からユーザによる指示を入力可能とするシステム共通領域と、システム共通領域に表示された複数のアプリケーション機能に対応する操作指示部が表示され、操作指示部からユーザによる指示を入力可能とするアプリケーション領域と、を含む表示操作画面を操作パネルに表示することにより、システム共通領域とアプリケーション領域を区分して表示するため、操作性の高いユーザインタフェースを提供することができるという効果を奏する。
【００２６】
また、請求項２にかかる発明によれば、システム共通領域は、さらに複数のアプリケーション機能の中の、１つのアプリケーション機能の操作指示部からユーザによる指示を入力可能とし、アプリケーション領域は、さらにシステム共通領域において選択された当該アプリケーション機能に対応した操作指示部が表示されることにより、選択されたアプリケーション機能に対応する操作ができるため、ユーザの操作感覚にあった操作性の高いユーザインタフェースを提供することができるという効果を奏する。
【００２７】
また、請求項３にかかる発明によれば、システム共通領域は、さらに複数のアプリケーション機能の中の、１つのアプリケーション機能の操作指示部からユーザによる指示を入力可能とし、アプリケーション領域は、さらにシステム共通領域において選択された当該アプリケーション機能以外のアプリケーション機能に対応した操作指示部が表示されないことにより、選択されたアプリケーション機能以外のアプリケーション機能に対応する操作ができないため、ユーザの操作感覚にあった操作性の高いユーザインタフェースを提供することができるという効果を奏する。
【００２８】
また、請求項４にかかる発明によれば、システム共通領域は、さらにシステム共通領域において選択されていないアプリケーション機能に関する動作状況情報を表示する領域を含むことにより、各アプリケーション機能の動作状況が表示されるため、ユーザは他のアプリケーション機能の動作状況を把握した上で操作を行うことができるという効果を奏する。
【００２９】
また、請求項５にかかる発明によれば、表示操作画面は、さらにシステム共通領域において選択されたアプリケーション機能に対応するメッセージを表示する領域を含むことにより、ユーザが行なった操作に対する入力促進メッセージやエラーメッセージなどが表示されるため、操作性の高いユーザインタフェースを提供することができるという効果を奏する。
【００３０】
また、請求項６にかかる発明によれば、表示制御手段は、さらにメッセージを表示する領域を、表示操作画面にオーバーラップさせて表示することにより、ユーザに対するメッセージを視認性高く表示することができるため、操作性の高いユーザインタフェースを提供することができるという効果を奏する。
【００３１】
また、請求項７にかかる発明によれば、表示制御手段は、さらにメッセージを表示する領域を、アプリケーション領域にオーバーラップさせて表示することにより、ユーザに対するメッセージを視認性高く表示することができるため、操作性の高いユーザインタフェースを提供することができるという効果を奏する。
【００３２】
また、請求項８にかかる発明によれば、表示制御手段は、さらにアプリケーション領域にメッセージを表示する領域が表示されている間は、アプリケーション領域に表示された操作を不可とすることにより、ユーザに対して必要な情報を確実に入力させることができるため、必要な情報に漏れのない信頼性の高い情報処理装置を提供することができるという効果を奏する。
【００３３】
また、請求項９にかかる発明によれば、システム共通領域は、さらに複数のアプリケーション機能の中から選択されたアプリケーション機能に依存せず予め定められた操作指示部のレイアウトに従って表示されることにより、選択したアプリケーション機能によって操作指示部のレイアウトが変更されないため、ユーザの操作感覚に合った操作性の高いユーザインタフェースを提供することができるという効果を奏する。
【００３４】
また、請求項１０にかかる発明によれば、アプリケーション領域は、さらにシステム共通領域において選択されたアプリケーション機能に対応する操作指示部のレイアウトに従って表示されることにより、選択したアプリケーション機能に適した操作指示部のレイアウトが表示されるため、ユーザの操作感覚に合った操作性の高いユーザインタフェースを提供することができるという効果を奏する。
【００３５】
また、請求項１１にかかる発明によれば、表示操作画面は、さらにシステム共通領域に表示される複数のアプリケーション機能の一つとしてコピー機能を含み、当該コピー機能が選択された場合に、アプリケーション領域にコピー機能に対応する操作指示部が表示されることにより、コピー機能に適した操作指示部が表示されるため、ユーザの操作感覚に合った操作性の高いユーザインタフェースを提供することができるという効果を奏する。
【００３６】
また、請求項１２にかかる発明によれば、表示操作画面は、さらにシステム共通領域に表示される複数のアプリケーション機能の一つとしてファクシミリ機能を含み、当該ファクシミリ機能が選択された場合に、アプリケーション領域にファクシミリ機能に対応する操作指示部が表示されることにより、ファクシミリ機能に適した操作指示部が表示されるため、ユーザの操作感覚に合った操作性の高いユーザインタフェースを提供することができるという効果を奏する。
【００３７】
また、請求項１３にかかる発明によれば、表示操作画面は、さらにシステム共通領域に表示される複数のアプリケーション機能の一つとしてプリント機能を含み、当該プリント機能が選択された場合に、アプリケーション領域にプリント機能に対応する操作指示部が表示されることにより、プリント機能に適した操作指示部が表示されるため、ユーザの操作感覚に合った操作性の高いユーザインタフェースを提供することができるという効果を奏する。
【００３８】
また、請求項１４にかかる発明によれば、表示操作画面は、さらにシステム共通領域に表示される複数のアプリケーション機能の一つとしてスキャナ機能を含み、当該スキャナ機能が選択された場合に、アプリケーション領域にスキャナ機能に対応する操作指示部が表示されることにより、スキャナ機能に適した操作指示部が表示されるため、ユーザの操作感覚に合った操作性の高いユーザインタフェースを提供することができるという効果を奏する。
【００３９】
また、請求項１５にかかる発明によれば、表示制御ステップによって、複数のアプリケーション機能および複数のアプリケーション機能に共通する機能の操作指示部が表示され、操作指示部からユーザによる指示を入力可能とするシステム共通領域と、システム共通領域に表示された複数のアプリケーション機能に対応する操作指示部が表示され、操作指示部からユーザによる指示を入力可能とするアプリケーション領域と、を含む表示操作画面を操作パネルに表示することにより、システム共通領域とアプリケーション領域を区分して表示するため、操作性の高いユーザインタフェースを提供することができるという効果を奏する。
【００４０】
また、請求項１６にかかる発明によれば、請求項１５に記載された表示制御方法をコンピュータに実行させることにより、システム共通領域とアプリケーション領域を区分して表示するため、操作性の高いユーザインタフェースを提供することができるという効果を奏する。
【発明を実施するための最良の形態】
【００４１】
以下、本発明のサーバー・クライアント方式による操作表示装置の制御方法をデジタル複写機の操作表示装置に適用した場合を一実施例として、添付図面を参照して詳細に説明する。なお、本実施例では、コピー機能、ファクシミリ機能、オンライン・プリンタ機能などの多機能、いわゆる、マルチファンクション機能を備えたデジタル複写機の操作表示装置を例として説明する。
【００４２】
（実施例の構成）
図１は、本実施例に係る操作表示装置の構成を示すブロック図である。図において、１０１、１０２はマルチファンクション機能を実現するプログラム単位からなるアプリケーション機能を示し、サーバー・クライアント方式のウインドウ表示システムにおけるクライアントに相当するアプリケーション・プロセス・クライアントである、以下、１０１をＡＰＬ１クライアント、１０２をＡＰＬ２クライアントという。
【００４３】
また、１０３はＡＰＬ１クライアント１０１、ＡＰＬ２クライアント１０２と同様に、システム共通の機能を担うアプリケーション機能としての特権プロセスシステム共通クライアント（以下、システム共通クライアントと記載する）、１０４はＡＰＬ１クライアント１０１、ＡＰＬ２クライアント１０２、システム共通クライアント１０３の各クライアントからのプロセスに基づいて描画データを出力するウインドウライブラリ、１０５はウインドウライブラリ１０４から出力された描画データを記憶して、管理するウインドウ描画管理用データである。
【００４４】
また、１０６はウインドウ描画管理用データ１０５を随時参照しながら後述するドライバ１０７にコマンドを与える制御手段としてのウインドウ・制御サーバー、１０７はウインドウ・制御サーバー１０６から与えられるコマンドに基づいて描画コマンドを出力するドライバ、１０８はタッチキー入力および表示機能を備えた操作パネルとしてのＬＣＤデバイスであり、例えば、ドットマトリックスタイプのＬＣＤ（液晶）タッチパネルを用いることができる。
【００４５】
（実施例の動作）
次に、以上のように構成された操作表示装置の基本的な動作について説明する。まず、ＡＰＬ１クライアント１０１、ＡＰＬ２クライアント１０２、システム共通クライアント１０３の各クライアントは、そのプロセスが表示しようとする画面の指示をウインドウライブラリ１０４を介し、描画データとしてそれぞれウインドウ描画管理用データ１０５に登録する。
【００４６】
ウインドウ・制御サーバー１０６は、システム動作中、常に稼動しており、このウインドウ描画管理用データ１０５を随時参照し、その時々に表示させるべき画面、すなわち、描画コマンドをドライバ１０７を介してＬＣＤデバイス１０８に与えることによりＬＣＤデバイス１０８の制御を実行する。
【００４７】
また、ＬＣＤデバイス１０８のタッチパネルのキー入力も、ウインドウ・制御サーバー１０６がドライバ１０７を介し、一括して受け取った後、その種類や入力タイミングなどに基づいて、該当するＡＰＬ１クライアント１０１、ＡＰＬ２クライアント１０２およびシステム共通クライアント１０３の各クライアントに対して、その内容を通知する。
【００４８】
なお、本実施例は、ＡＰＬ１クライアント１０１とＡＰＬ２クライアント１０２の２つのアプリケーション機能を有する構成として説明しているが、２つ以上のアプリケーション機能が存在する場合についても、その動作は同様に行われる。
【００４９】
さらに、上記動作について図２〜図７を用いて詳述する。図２は、ＬＣＤデバイス１０８の表示画面をアプリケーション表示領域（アプリケーション領域）とシステム共通部表示領域（システム共通領域）とに分離した状態を示す説明図、図３は、マルチファンクション・デジタル複写機のＬＣＤデバイス１０８における表示画面例を示す説明図である。
【００５０】
図２において、表示領域を、システム共通部分に関連する表示およびタッチキーを表示するシステム共通部表示領域２０１と、アプリケーション機能毎に関連する表示およびタッチキーを表示するアプリケーション表示領域２０２との２つに分離する。そこで、上記２つの表示領域を、例えば、図３に示すように、マルチファンクション機能を装備したデジタル複写機の操作パネルに適用し、システム共通部表示領域２０１に「コピー」、「ファックス」、「プリンター」、「スキャナー」の各アプリケーション機能を選択するための機能選択キーや、各アプリケーション機能に共通の数値入力用のテンキーや、スタートキー、クリアキーなどがタッチキーとして表示される。
【００５１】
したがって、本実施例によれば、上記のようにウインドウ・制御サーバー１０６が、表示画面をシステム共通部分とアプリケーション部分とに分離して表示制御およびキー入力制御を実行するので、従来のように各アプリケーション機能にシステム共通部分の機能を盛り込む必要があったり、アプリケーションの各プロセスに処理負担がかかることや、類似した機能をもつために、メモリの使用効率低下による無駄が発生するといった問題点を解消することができる。
【００５２】
さらに、上記表示された各アプリケーション機能用のキーを押下することにより、図４のコピー機能表示、図５のファクシミリ機能表示、図６のオンライン・プリンタ機能表示がそれぞれアプリケーション表示領域２０２に表示される。
【００５３】
すなわち、上記各アプリケーション機能のうち、使用者が所望とする機能が「コピー」である場合、図４に示すような表示画像がアプリケーション表示領域２０２に表示される。また、ファクシミリ通信を実行する場合は「ファックス」のタッチキーを押下することにより、図５に示すような表示画像がアプリケーション表示領域２０２に表示される。同様に、オンライン・プリンタとして機能させたい場合、「プリンター」のタッチキーを押下することにより、図６に示すような表示画像がアプリケーション表示領域２０２に表示される。
【００５４】
ところで、アプリケーション表示領域２０２には、一つの機能の画面しか表示することができないので、どのアプリケーション機能の画面を表示させるかをシステム共通クライアント１０３により判断し、ウインドウライブラリ１０４を介し、ウインドウ描画管理用データ１０５へ描画データを登録しておくと共に、どのアプリケーション機能の画面を表示させるかを指示することを可能としておく。
【００５５】
したがって、システム共通クライント１０３は、アプリケーション機能に対応する選択キーが使用者によりキータッチされ、キータッチの通知をウインドウ・制御サーバー１０６から受け取ると、タッチされた選択キーに対応した機能を判断し、表示すべきアプリケーション機能（すなわち、使用権を与えるアプリケーション機能）の種類をウインドウ・制御サーバー１０６へ指示する。
【００５６】
また、上記において、ウインドウ・制御サーバー１０６が、表示対象となっているアプリケーション機能以外にはタッチの通知を行わないようにすることにより、アプリケーション機能は自プロセスが選択中であるか否かを認識しなくても、不要のタッチ入力通知を受けることがなくなる。なお、どのアプリケーション機能を表示対象とするかの判断は、ＬＣＤデバイス１０８上の画面タッチによる情報の他に、システムの状態変化の情報などによってなされることがあるのは言うまでもない。
【００５７】
したがって、上述したように、アプリケーション表示領域２０２を複数のアプリケーション機能で共有させ、システム共通クライアント１０３が、アプリケーション表示領域２０２の使用権をどのアプリケーション機能とするかを制御することにより、アプリケーション機能側ではシステム全体の状態などを表示時に意識しないで、自プロセスの画面表示だけを指示すればよいので、プログラムの複雑化を招来させることなく、処理負荷も低減することができる。
【００５８】
図７は、ウインドウ・制御サーバー１０６が画面オーバーラップ機能を備え、システム共通エラーなどが発生した場合における表示画面例を示す説明図である。なお、図７の表示画面例は、暗証コードを入力していないと、すべての機能を使用不可にする場合のコード入力を促す画面について示している。
【００５９】
すなわち、ウインドウ・制御サーバー１０６が画面オーバーラップ機能を有し、システム共通のエラーなどが発生した場合、アプリケーション表示領域２０２に対し、システム共通クライアント１０３からも表示の指示が行える場合について示している。ここでは、アプリケーション表示領域２０２にシステム共通部表示領域２０１がオーバーラップで表示している間、表示中のアプリケーション機能に対してもキーの入力通知を行わないように設定可能とさせる。これにより、アプリケーション機能側では意識しなくとも無視すべきタッチ入力の通知を受けることがなくなり、処理を簡略化することができる。
【００６０】
したがって、図７に示したオーバーラップ画面としたことにより、アプリケーション機能側ではシステム全体の状態などを表示時に意識しないで、自プロセスの画面表示だけを指示すればよいので、プログラムの複雑化を招来させることなく、処理負荷も低減することができる。
【図面の簡単な説明】
【００６１】
【図１】本実施例に係る操作表示装置の構成を示すブロック図である。
【図２】本実施例に係るＬＣＤデバイスの表示画面をアプリケーション領域とシステム共通領域とに分離した状態を示す説明図である。
【図３】本実施例に係るアプリケーション表示領域とシステム共通部表示領域とを示す説明図である。
【図４】本実施例に係るコピー機能のアプリケーションが選択された場合の表示画面例を示す説明図である。
【図５】本実施例に係るファクシミリ機能のアプリケーションが選択された場合の表示画面例を示す説明図である。
【図６】本実施例に係るオンライン・プリンタ機能のアプリケーションが選択された場合の表示画面例を示す説明図である。
【図７】本実施例に係るウインドウ・制御サーバーが画面オーバーラップ機能を備え、システム共通エラーなどが発生した場合における表示画面例を示す説明図である。
【符号の説明】
【００６２】
１０１    ＡＰＬ１クライアント
１０２    ＡＰＬ２クライアント
１０３    システム共通クライアント
１０６    ウインドウ・制御サーバー
１０８    ＬＣＤデバイス
２０１    システム共通部表示領域（システム共通領域）
２０２    アプリケーション表示領域（アプリケーション領域）
【図１】
2006042393.tif 000003
【図２】
2006042393.tif 000004
【図３】
2006042393.tif 000005
【図４】
2006042393.tif 000006
【図５】
2006042393.tif 000007
【図６】
2006042393.tif 000008
【図７】
2006042393.tif 000009